(57)【特許請求の範囲】
【請求項１】
ウエスト開口部および一対のレッグ開口部が形成されてなるショーツ部と、液保持性の吸収層を有する吸収部とを備えたショーツ型生理用ナプキンを、包装材にて包装してなるショーツ型生理用ナプキンの包装構造であって、
上記吸収層の外縁である前端部に沿ってウエスト部が長手方向中央部側に折り曲げられ、且つ股下部が長手方向中央部側に折り曲げられた上記ショーツ型生理用ナプキンが、筒状の上記包装材の内部に挿入されており、且つ該ショーツ型生理用ナプキンが該包装材と共に折曲されて該包装材の両端が互いに接合・封止されているショーツ型生理用ナプキンの包装構造。
【請求項２】
ウエスト開口部および一対のレッグ開口部が形成されてなるショーツ部と、液保持性の吸収層を有する吸収部とを備えたショーツ型生理用ナプキンを、包装材にて包装してなるショーツ型生理用ナプキンの包装構造であって、
上記吸収層の外縁である左右両側縁に沿って左右両側部が幅方向中央部側に折り曲げられ、且つ股下部が長手方向中央部側に折り曲げられた上記ショーツ型生理用ナプキンが、筒状の上記包装材の内部に挿入されており、且つ該ショーツ型生理用ナプキンが該包装材と共に折曲されて該包装材の両端が互いに接合・封止されているショーツ型生理用ナプキンの包装構造。
【請求項３】
上記包装材の内面がアンチスリップ加工されている請求項１又は２記載のショーツ型生理用ナプキンの包装構造。
【請求項４】
上記包装材の内面にエンボス処理による凹凸形状が形成されているか、該内面に印刷が施されて非平滑化されているか、又は該内面にアンチスリップ剤が塗布若しくはラミネートされて、該内面がアンチスリップ加工されている請求項３記載のショーツ型生理用ナプキンの包装構造。
【発明の詳細な説明】
【０００１】
【発明の属する技術分野】
本発明は、ショーツ型生理用ナプキンを個別に包装したショーツ型生理用ナプキンの包装構造に関する。
【０００２】
【従来の技術及び発明が解決しようとする課題】
おむつや生理用ナプキンに代表される、パンツ型に構成された吸収性物品が多数提案されている。かかる吸収性物品は、複数個をまとめて包装した形態で使用者に提供されているが、使用者が少量を持ち運びする際の可搬性の面や、衛生面からは個別に包装されることが望ましい。特に上記吸収性物品を生理用ナプキンとして利用する場合は、個別包装が必要とされる。
【０００３】
しかし、一般的な生理用ナプキンは、液透過性表面材と液不透過性防漏材と液保持性吸収層からなる縦長のものであり、パンツ型に構成された生理用ナプキンは、一般的な生理用ナプキンと形状が異なることから、従来からの個別の包装構造をパンツ型にそのまま利用することは困難である。また、パンツ型に構成された吸収性物品は大型となり、コンパクトな包装形態が同時に要求される。
【０００４】
従って、本発明の目的は、ショーツ型生理用ナプキン特有の形状に適応し且つコンパクトな包装形態を有するショーツ型生理用ナプキンの包装構造を提供することにある。
【０００５】
【課題を解決するための手段】
本発明は、ウエスト開口部および一対のレッグ開口部が形成されてなるショーツ部と、液保持性の吸収層を有する吸収部とを備えたショーツ型生理用ナプキンを、包装材にて包装してなるショーツ型生理用ナプキンの包装構造であって、
上記吸収層の外縁である前端部に沿ってウエスト部が長手方向中央部側に折り曲げられ、且つ股下部が長手方向中央部側に折り曲げられた上記ショーツ型生理用ナプキンが、筒状の上記包装材の内部に挿入されており、且つ該ショーツ型生理用ナプキンが該包装材と共に折曲されて該包装材の両端が互いに接合・封止されているショーツ型生理用ナプキンの包装構造を提供することにより上記目的を達成したものである。
また本発明は、ウエスト開口部および一対のレッグ開口部が形成されてなるショーツ部と、液保持性の吸収層を有する吸収部とを備えたショーツ型生理用ナプキンを、包装材にて包装してなるショーツ型生理用ナプキンの包装構造であって、
上記吸収層の外縁である左右両側縁に沿って左右両側部が幅方向中央部側に折り曲げられ、且つ股下部が長手方向中央部側に折り曲げられた上記ショーツ型生理用ナプキンが、筒状の上記包装材の内部に挿入されており、且つ該ショーツ型生理用ナプキンが該包装材と共に折曲されて該包装材の両端が互いに接合・封止されているショーツ型生理用ナプキンの包装構造を提供することにより上記目的を達成したものである。
【０００６】
【発明の実施の形態】
以下、本発明のショーツ型生理用ナプキン（以下、ショーツ型ナプキンともいう）の包装構造の好ましい実施形態を、図面を参照しながら説明する。
【０００７】
図１及び図２に示すように、本実施形態におけるショーツ型ナプキン１０は、吸収部２０とショーツ部３０とから構成されている。吸収部２０は、液保持性の吸収層２１及び液不透過性の防漏層２２を有している。吸収層２１は、パルプ繊維および高吸収性ポリマー粒子からなる吸収体２３と、該吸収体２３の表面側に配された液透過性のトップシート２４とを有している。一方、防漏層２２は、吸収体２３の裏面側に配されたバックシートから構成されている。防漏層２２の左右両側縁部は、吸収体２３の左右両側縁部からそれぞれ外方に延出したトップシート２４によって覆われている。
【０００８】
ショーツ部３０は、本実施形態のショーツ型ナプキン１０の外表面を構成する外層シート３１と、内表面を構成して上記吸収部２０が固着される内層シート３２と、レッグ部弾性部材３３と、ウエスト部弾性部材３４とから構成されている。また、ショーツ部３０は、腹側部Ａ、股下部Ｂ及び背側部Ｃの各領域からなり、腹側部Ａ及び背側部Ｃそれぞれの両側縁部Ａ１、Ｃ１及びＡ２、Ｃ２が接合固定されて、ウエスト開口部１１及び一対のレッグ開口部１２，１２が形成されることによりショーツの形態を構成している。そして、ウエスト開口部１１及びレッグ開口部１２において、伸長状態のウエスト部弾性部材３４及びレッグ部弾性部材３３がそれぞれ外層シート３１と内層シート３２に挟持されて固定されることによりギャザーが形成されている。
【０００９】
図２（ａ）に示すように、レッグ部弾性部材３３は、股下部Ｂの側縁に沿って配され、且つ股下部Ｂにおいて吸収部２０をその幅方向に亘って横断する腹側レッグ部弾性部材３３ａと背側レッグ部弾性部材３３ｂとからなる。これらレッグ部弾性部材３３ａ，３３ｂは、それらの吸収部２０を横断する部分が何れもショーツ部３０をその長手方向に二等分する線よりも腹側部Ａ側に位置するように配されている。
【００１０】
吸収部２０は、トップシート２４が着用者の身体側を向くようにショーツ部３０の股下部Ｂの内側に固着されている。吸収部２０は、少なくともその前後端部がショーツ部に固定されている。
【００１１】
而して、本実施形態の包装構造１においては、図３（ｆ）に示すように、所定形状に折り畳まれたショーツ型ナプキン１０が、筒状の包装材４０の内部に挿入されており、且つ該ショーツ型ナプキン１０が該包装材４０と共に折曲されて該包装材４０の両端が互いに接合・封止されている。
【００１２】
上記の包装構造１を、その好ましい製造工程と共に図３を参照しながら更に説明すると、図示しない加工機にて製造されたショーツ型ナプキン１０〔図３（ａ）参照〕は、図３（ｂ）に示すようにその股下部Ｂが長手方向中央部側に折り曲げられ、更に図３（ｃ）に示すようにそのウエスト部Ｗが同様に長手方向中央部側に折り曲げられて、三つ折りの折り形態となる。これらの折り曲げは、すべてショーツ型ナプキン１０の腹側に向けて行われる。このようにして、その面積が元の約１／３になるように折り畳まれたショーツ型ナプキン１０は、次に、図３（ｄ）に示すように、筒状の包装材４０の内部に挿入される。尚、図３（ｃ）に示すウエスト部Ｗの長手方向中央部側への折り曲げを、吸収部２０の外縁である前端部に沿って行うと折り曲げ易くなるので好ましい。
【００１３】
上記包装材４０は、矩形のシート状の包装材における相対向する二辺を接合することにより筒状とされている。この包装材４０の内部にショーツ型ナプキン１０が挿入された後、図３（ｅ）に示すように該ショーツ型ナプキン１０を包装材４０と共に、該包装材４０の長手方向に二分するように二つ折りする。この二つ折りの際、包装材４０の接合部４１が内側となるようにする。このような折り方とすることにより、接合部４１が包装構造１の外部に露出せず、該包装構造の外観が良好となる。
【００１４】
次に、上記の二つ折りによって、開口している包装材４０の両端４２，４２を互いに接合・封止することによって、該二つ折りの構造を保持すると共にショーツ型ナプキン１０を包装材４０の内部に封入する。
【００１５】
このようにして得られた包装構造１は、図３（ｆ）に示すように筒状の包装材４０の内部に挿入されているショーツ型ナプキン１０が二つ折りされた形態となっているので、全体としてコンパクトな包装形態となすことができる。また、本実施形態においては、ショーツ型ナプキン１０を包装材４０の内部に挿入する際に、該ナプキン１０を所定の形状に折り畳んで挿入しているので、製造された包装構造１は更にコンパクト化されたものとなる。斯かる包装構造１によれば、比較的大きな形状を有する上記のショーツ型ナプキン１０であってもその包装構造をコンパクト化できる。
【００１６】
上記の包装構造１に用いられる包装材４０としては、熱可塑性樹脂のフィルム等が用いられる。特に、筒状の包装材４０の内部に挿入されたショーツ型ナプキン１０が、二つ折りされる際に滑って位置ズレを起こさないようにするために、包装材４０の内面が、アンチスリップ加工されていることが好ましい。アンチスリップ加工の例としては、エンボス処理による凹凸形状の形成、印刷等による包装材４０表面の非平滑化、天然ゴム、合成ゴム等に代表される表面摩擦係数の高い高分子材料、樹脂のようなアンチスリップ剤の塗布あるいはラミネート等が挙げられる。
【００１７】
次に、本発明の第２の実施形態を図４を参照しながら説明する。尚、本実施形態については第１の実施形態と異なる点についてのみ説明し、同じ点については第１の実施形態に関して詳述した説明が適宜適用される。また、図４において図１〜図３と同じ部材には同じ符号を付してある。
【００１８】
本実施形態は、包装材４０に挿入されるショーツ型ナプキン１０の折り畳み方が第１の実施形態と異なる。詳細には、先ず図４（ａ）に示すように、ショーツ型ナプキン１０はその股下部Ｂが長手方向中央部側に折り曲げられる。折り曲げ位置は、ショーツ型ナプキン１０の長手方向の下から約１／４〜１／５の位置である。
【００１９】
次に、図４（ｂ）に示すように、その左右両側部が幅方向中央部側に折り曲げられる。折り曲げ位置は、ショーツ型ナプキン１０における吸収部２０の左右両側縁部よりも若干外方の位置である。これらの折り曲げは、第１の実施形態の場合と同様に、すべてショーツ型ナプキン１０の腹側に向けて行われる。このようにして折り畳まれたショーツ型ナプキン１０は図４（ｃ）に示すような折り畳み形態をしている。尚、左右両側部の折り曲げを吸収部２０の外縁である左右両側縁に沿って行うと折り曲げ易くなるので好ましい。この後は第１の実施形態と同様にして包装構造が得られる。そして、本実施形態においても第１の実施形態と同様の効果が奏される。
【００２０】
本発明は上記実施形態に制限されず、本発明の趣旨を逸脱しない範囲において種々の変更が可能である。
例えば、開口している包装材４０の両端４２，４２を互いに接合・封止する際に、先ず両端４２，４２をそれぞれ封止してショーツ型ナプキン１０を包装材４０の内部に封入した後に、該ショーツ型ナプキン１０を該包装材４０と共に折曲して、該包装材４０の両端４２，４２を互いに接合してもよい。
また、所定形状に折り畳んだショーツ型ナプキンを包装材４０上に載置した後、該包装材４０を筒状に形成し、該ショーツ型ナプキンを被覆してもよい。
【００２１】
【発明の効果】
以上、詳述した通り、本発明によれば、ショーツ型生理用ナプキン特有の形状に適応し且つコンパクトな包装形態を有するショーツ型生理用ナプキンの包装構造が提供される。
【図面の簡単な説明】
【図１】  第１の実施形態に用いられるショーツ型生理用ナプキンを示す斜視図である。
【図２】  図２（ａ）は、図１に示すショーツ型生理用ナプキンの組み立て前の状態を吸収部側からみた展開図、図２（ｂ）は図２（ａ）におけるＩ−Ｉ線断面図である。
【図３】  本実施形態のショーツ型生理用ナプキンの包装構造の好ましい製造工程を示す図である。
【図４】  第２の実施形態におけるショーツ型生理用ナプキンの折り畳み形態を示す図である。
【符号の説明】
１     ショーツ型生理用ナプキンの包装構造
１０   ショーツ型生理用ナプキン
２０   吸収部
３０   ショーツ部
４０   包装材
【図１】
0003747994.tif 000002
【図２】
0003747994.tif 000003
【図３】
0003747994.tif 000004
【図４】
0003747994.tif 000005